(57)【要約】【課題】制御基板及びコンデンサ基板とこれらに実装された電子部品の放熱性を向上させることができる、電力変換装置及び制御装置一体型回転電機を提供すること。【解決手段】電力変換装置１は、スイッチング素子と、スイッチング素子を駆動制御する駆動素子３と、駆動素子３を搭載した制御基板４と、スイッチング素子と電気的に接続されるコンデンサ５と、コンデンサ５を搭載したコンデンサ基板６と、を有する。制御基板４とコンデンサ基板６とは、互いに独立して設けてある。制御基板４とコンデンサ基板６とは、制御基板４の法線方向から見ても、コンデンサ基板６の法線方向から見ても、互いに重ならないように配置されている。【選択図】図１
2019057968.tif 000002
【特許請求の範囲】
【請求項１】
スイッチング素子と、
該スイッチング素子を駆動制御する駆動素子（３）と、
該駆動素子を搭載した制御基板（４）と、
上記スイッチング素子と電気的に接続されるコンデンサ（５）と、
該コンデンサを搭載したコンデンサ基板（６）と、を有し、
上記制御基板と上記コンデンサ基板とは、互いに独立して設けてあり、
上記制御基板と上記コンデンサ基板とは、上記制御基板の法線方向から見ても、上記コンデンサ基板の法線方向から見ても、互いに重ならないように配置されている、電力変換装置（１）。
【請求項２】
上記制御基板と上記コンデンサ基板とは、法線方向が互いに一致している、請求項１に記載の電力変換装置。
【請求項３】
上記制御基板と上記コンデンサ基板とは、法線方向に直交するいずれかの方向から見たとき、少なくとも一部が重なる位置に配置されている、請求項２に記載の電力変換装置。
【請求項４】
上記制御基板と上記コンデンサ基板とは、法線方向において互いに異なる位置に配置されており、法線方向において、上記コンデンサは、上記コンデンサ基板における上記制御基板と反対側の面に、搭載されている、請求項２に記載の電力変換装置。
【請求項５】
上記制御基板と上記コンデンサ基板とは、法線方向において互いに異なる位置に配置されており、法線方向において、上記駆動素子は、上記制御基板における上記コンデンサ基板と反対側の面に、搭載されている、請求項２又は４に記載の電力変換装置。
【請求項６】
上記駆動素子は、上記制御基板における、上記スイッチング素子と反対側の面に搭載されている、請求項１〜５のいずれか一項に記載の電力変換装置。
【請求項７】
上記制御基板、上記駆動素子、上記コンデンサ基板、及び上記コンデンサは、封止樹脂（１２）に封止されている、請求項１〜６のいずれか一項に記載の電力変換装置。
【請求項８】
回転電機（７）と該回転電機を駆動制御する制御装置とが一体化された制御装置一体型回転電機（１０）であって、
上記制御装置は、請求項１〜７のいずれか一項に記載の電力変換装置である、制御装置一体型回転電機。
【請求項９】
上記コンデンサ基板の法線方向は、上記回転電機に対する上記電力変換装置の積層方向に一致しており、上記コンデンサは、上記コンデンサ基板における、上記回転電機と反対側を向く面に搭載されている、請求項８に記載の制御装置一体型回転電機。
【請求項１０】
上記制御基板の法線方向は、上記回転電機に対する上記電力変換装置の積層方向に一致しており、導入した外気を上記制御装置と上記回転電機とにわたって流通させる冷却風流路（１３）を有し、上記冷却風流路の一部に対向するように上記制御基板が配置されており、上記駆動素子は、上記制御基板における上記冷却風流路側の面に搭載されている、請求項８又は９に記載の制御装置一体型回転電機。
【発明の詳細な説明】
【技術分野】
【０００１】
本発明は、電力変換装置、及び、電力変換装置である制御装置を回転電機と一体化した制御装置一体型回転電機に関する。
【背景技術】
【０００２】
電力変換回路を備えた制御装置と、回転電機とを一体化した、制御装置一体型回転電機が、特許文献１に開示されている。この制御装置一体型回転電機における制御装置は、コンデンサを搭載したモジュール基板（以下において、コンデンサ基板という。）と、制御回路を構成する制御基板とを有する。そして、コンデンサ基板と制御基板とが、互いの主面を対向させた状態にて配置されている。
【先行技術文献】
【特許文献】
【０００３】
【特許文献１】特開２０１７−９３０８０号公報
【発明の概要】
【発明が解決しようとする課題】
【０００４】
しかしながら、上記構成のように、コンデンサ基板と制御基板とが、互いの主面を対向させた状態にて配置されていると、両者の間に熱がこもりやすくなる。すなわち、制御基板に実装された電子部品や、各基板に形成された配線から発熱した熱が、コンデンサ基板と制御基板との間にこもりやすい。それゆえ、コンデンサ基板及び制御基板やこれらに実装された電子部品の放熱性を向上させ難い。
【０００５】
本発明は、かかる課題に鑑みてなされたものであり、制御基板及びコンデンサ基板とこれらに実装された電子部品の放熱性を向上させることができる、電力変換装置及び制御装置一体型回転電機を提供しようとするものである。
【課題を解決するための手段】
【０００６】
本発明の一態様は、スイッチング素子と、
該スイッチング素子を駆動制御する駆動素子（３）と、
該駆動素子を搭載した制御基板（４）と、
上記スイッチング素子と電気的に接続されるコンデンサ（５）と、
該コンデンサを搭載したコンデンサ基板（６）と、を有し、
上記制御基板と上記コンデンサ基板とは、互いに独立して設けてあり、
上記制御基板と上記コンデンサ基板とは、上記制御基板の法線方向から見ても、上記コンデンサ基板の法線方向から見ても、互いに重ならないように配置されている、電力変換装置（１）にある。
【０００７】
本発明の他の態様は、回転電機（７）と該回転電機を駆動制御する制御装置とが一体化された制御装置一体型回転電機（１０）であって、
上記制御装置は、上記電力変換装置である、制御装置一体型回転電機にある。
【発明の効果】
【０００８】
上記電力変換装置において、上記制御基板と上記コンデンサ基板とは、制御基板の法線方向から見ても、上記コンデンサ基板の法線方向から見ても、互いに重ならないように配置されている。これにより、制御基板とコンデンサ基板とは、互いに対向する部分がないように配置されることとなる。それゆえ、制御基板とコンデンサ基板との間に熱がこもるという課題を解決することができる。すなわち、制御基板及びコンデンサ基板からの熱や、これらに実装された電子部品からの熱を、効率的に放熱することができる、制御装置一体型回転電機を得ることができる。
【０００９】
また、上記制御装置一体型回転電機は、回転電機を駆動制御する制御装置として、上記電力変換装置を備えている。それゆえ、制御基板及びコンデンサ基板からの熱や、これらに実装された電子部品からの熱を、効率的に放熱することができる。
【００１０】
以上のごとく、上記態様によれば、制御基板及びコンデンサ基板とこれらに実装された電子部品の放熱性を向上させることができる、電力変換装置及び制御装置一体型回転電機を提供することができる。
なお、特許請求の範囲及び課題を解決する手段に記載した括弧内の符号は、後述する実施形態に記載の具体的手段との対応関係を示すものであり、本発明の技術的範囲を限定するものではない。
【図面の簡単な説明】
【００１１】
【図１】実施形態１における、電力変換装置の断面説明図。
【図２】図１のII−II線矢視断面図。
【図３】実施形態２における、電力変換装置の断面説明図。
【図４】実施形態３における、電力変換装置の断面説明図。
【図５】実施形態４における、電力変換装置の断面説明図。
【図６】実施形態５における、電力変換装置の断面説明図。
【図７】実施形態６における、電力変換装置の断面説明図。
【図８】実施形態７における、電力変換装置の断面説明図。
【図９】実施形態８における、電力変換装置の断面説明図。
【図１０】実施形態９における、電力変換装置の断面説明図。
【発明を実施するための形態】
【００１２】
（実施形態１）
電力変換装置に係る実施形態について、図１、図２を参照して説明する。
本実施形態の電力変換装置１は、スイッチング素子を内蔵した半導体モジュール２と、駆動素子３と、制御基板４と、コンデンサ５と、コンデンサ基板６と、を有する。
【００１３】
駆動素子３は、スイッチング素子を駆動制御する素子である。制御基板４は、駆動素子３を搭載した基板である。コンデンサ５は、スイッチング素子と電気的に接続されている。コンデンサ基板６は、コンデンサ５を搭載した基板である。
制御基板４とコンデンサ基板６とは、互いに独立して設けてある。
制御基板４とコンデンサ基板６とは、制御基板４の法線方向から見ても、コンデンサ基板６の法線方向から見ても、互いに重ならないように配置されている。
【００１４】
なお、法線方向とは、各基板の主面の法線方向を意味する。つまり、制御基板４の法線方向とは、制御基板４における駆動素子３が搭載される面の法線の方向である。コンデンサ基板６の法線方向とは、コンデンサ基板６におけるコンデンサ５が搭載される面の法線の方向である。
【００１５】
制御基板４とコンデンサ基板６とは、法線方向が互いに一致している。すなわち、制御基板４の主面と、コンデンサ基板６の主面とは、互いに平行となるように配置されている。図１に、上記の一致した法線方向を矢印Ｚにて示す。なお、法線方向が一致する状態には、制御基板４の法線方向とコンデンサ基板６の法線方向とが、互いに多少傾斜していても、略平行な状態にあれば、これを含む。
【００１６】
制御基板４とコンデンサ基板６とは、法線方向に直交するいずれかの方向から見たとき、少なくとも一部が重なる位置に配置されている。すなわち、制御基板４に平行な方向であって、制御基板４とコンデンサ基板６とが並ぶ方向から見たとき、厚み方向における制御基板４の少なくとも一部と、厚み方向におけるコンデンサ基板６の少なくとも一部とが、互いに重なっている。特に、本実施形態においては、制御基板４とコンデンサ基板６とは、法線方向における位置が略同等となるように、並べて配置してある。そして、制御基板４とコンデンサ基板６とが、法線方向において互いにずれたとしても、これらの基板の厚み分以下のずれとなっている。なお、本実施形態においては、制御基板４の厚みと、コンデンサ基板６の厚みとは、略同等である。そして、制御基板４の端面と、コンデンサ基板６の端面とが、互いに対向している。
【００１７】
駆動素子３は、制御基板４における、スイッチング素子と反対側の面に搭載されている。すなわち、駆動素子３は、制御基板４を挟んで、半導体モジュール２と反対側に配置されている。なお、以下において、適宜、制御基板４に対して駆動素子３が搭載された側を下側、その反対側を上側という。
【００１８】
制御基板４、駆動素子３、コンデンサ基板６、及びコンデンサ５は、電力変換装置１の筐体１１内に収容されている。また、半導体モジュール２も筐体１１内に収容されている。筐体１１は、例えば、樹脂成形体からなる。また、制御基板４に搭載された、駆動素子３以外の電子部品１５も、筐体１１内に収容されている。なお、制御基板４に実装された電子部品１５としては、駆動素子３の他に、界磁回路を構成する界磁モジュール、マイコン等がある。
【００１９】
図２に示すごとく、本実施形態の電力変換装置１は、１枚の制御基板４と、２枚のコンデンサ基板６とを有する。そして、制御基板４の法線方向から見たとき、電力変換装置１の外形は、略円形状となっている。つまり、筐体１１の外形が、略円形状となっている。この筐体１１の内側において、筐体１１の外形に沿うように、略円弧状に、制御基板４が配置されている。制御基板４の円弧における周方向の両端にそれぞれ隣接するように、２つのコンデンサ基板６が配置されている。
なお、これらの制御基板４及びコンデンサ基板６の枚数は特に限定されるものではない。
【００２０】
電力変換装置１は、例えば、直流のバッテリと三相交流の回転電機との間に接続され、両者の間の電力変換を行うよう構成することができる。すなわち、半導体モジュール２におけるスイッチング素子が、電力変換回路を構成している。電力変換回路は、複数のスイッチング素子を備える。そして、駆動素子３によって複数のスイッチング素子を適宜オンオフ制御することで、電力変換を行うことができるよう構成されている。また、コンデンサ５は、電力変換回路にかかる電圧を平滑化する平滑コンデンサとして機能する。また、上述の界磁回路は、回転電機に界磁電流を供給するための回路である。
【００２１】
次に、本実施形態の作用効果につき説明する。
上記電力変換装置１において、制御基板４とコンデンサ基板６とは、制御基板４の法線方向から見ても、コンデンサ基板６の法線方向から見ても、互いに重ならないように配置されている。これにより、制御基板４とコンデンサ基板６とは、互いに対向する部分がないように配置されることとなる。それゆえ、制御基板４とコンデンサ基板６との間に熱がこもるという課題を解決することができる。すなわち、制御基板４及びコンデンサ基板６からの熱や、これらに実装された電子部品１５からの熱を、効率的に放熱することができる。
【００２２】
制御基板４とコンデンサ基板６とは、法線方向が互いに一致している。これにより、制御基板４及びコンデンサ基板６とこれらに実装された電子部品１５の放熱性を一層向上させることができる。
【００２３】
制御基板４とコンデンサ基板６とは、法線方向に直交するいずれかの方向から見たとき、少なくとも一部が重なる位置に配置されている。これにより、法線方向において、電力変換装置１の小型化を図ることができる。
【００２４】
駆動素子３は、制御基板４における、スイッチング素子を備えた半導体モジュール２と反対側の面に搭載されている。これにより、スイッチング素子の熱の影響、さらにはスイッチング素子のノイズの影響を、駆動素子３が受けることを抑制することができる。
【００２５】
特に、本実施形態においては、制御基板４よりも上側にコンデンサ５及び半導体モジュール２が配され、制御基板４よりも下側に駆動素子３が配されている。それゆえ、高圧電流が流れる高圧回路部と、駆動素子３を含む制御回路部とを、制御基板４を挟んで反対側に配置することができる。これにより、高圧回路部から制御回路部へのノイズの重畳を抑制することができる。
【００２６】
以上のごとく、本実施形態によれば、制御基板及びコンデンサ基板とこれらに実装された電子部品の放熱性を向上させることができる、電力変換装置を提供することができる。
【００２７】
（実施形態２）
本実施形態は、図３に示すごとく、制御基板４、駆動素子３、コンデンサ基板６、及びコンデンサ５が、封止樹脂１２に封止されている、電力変換装置１の形態である。
【００２８】
実施形態１と同様に、制御基板４、駆動素子３、コンデンサ基板６、及びコンデンサ５は、電力変換装置１の筐体１１内に収容されている。そして、制御基板４、駆動素子３、コンデンサ基板６、及びコンデンサ５が収容された筐体１１内に、封止樹脂１２が充填されている。これにより、封止樹脂１２に、制御基板４、駆動素子３、コンデンサ基板６、及びコンデンサ５が共に封止されている。また、制御基板４に搭載された、駆動素子３以外の電子部品１５、さらには、半導体モジュール２も、封止樹脂１２に封止されている。
【００２９】
封止樹脂１２は、電気的絶縁性、耐熱性、熱伝導性を兼ね備えた材料からなる。封止樹脂１２は、上記特性に加えて、さらに、防水性、耐振性をも兼ね備えることが好ましい。封止樹脂１２としては、例えば、エポキシ樹脂を用いることができる。なお、封止樹脂１２としては、エポキシに限らず、シリコーン、ウレタン等を用いてもよい。
【００３０】
その他の構成は、実施形態１と同様である。なお、実施形態２以降において用いた符号のうち、既出の実施形態において用いた符号と同一のものは、特に示さない限り、既出の実施形態におけるものと同様の構成要素等を表す。
【００３１】
本実施形態においては、制御基板４、駆動素子３、コンデンサ基板６、及びコンデンサ５が、封止樹脂１２に封止されている。これにより、制御基板４、駆動素子３、コンデンサ基板６、及びコンデンサ５の熱を、封止樹脂１２へ放熱することができる。それゆえ、駆動素子３及びコンデンサ５の長寿命化、信頼性向上を図ることができる。また、制御基板４及びコンデンサ基板６の振動を抑制することができると共に、耐候性を向上させることができる。
その他、実施形態１と同様の作用効果を有する。
【００３２】
（実施形態３）
本実施形態は、図４に示すごとく、制御基板４とコンデンサ基板６とが、法線方向において互いに異なる位置に配置されている、電力変換装置１の形態である。
法線方向において、コンデンサ５は、コンデンサ基板６における制御基板４と反対側の面に、搭載されている。
また、法線方向において、駆動素子３は、制御基板４におけるコンデンサ基板６と反対側の面に、搭載されている。
【００３３】
本実施形態においては、制御基板４の法線方向において、コンデンサ基板６が制御基板４よりも上側に配置されている。そして、コンデンサ５は、コンデンサ基板６の上面に搭載されている。また、駆動素子３は、制御基板４の下面に搭載されている。制御基板４に搭載された、駆動素子３以外の主要な電子部品１５も、制御基板４の下面に搭載されている。
その他の構成は、実施形態１と同様である。
【００３４】
本実施形態においては、法線方向において、コンデンサ５は、コンデンサ基板６における、制御基板４と反対側の面に搭載されている。それゆえ、制御基板４とコンデンサ５との間の熱の干渉を抑制することができる。
【００３５】
また、法線方向において、駆動素子３は、制御基板４におけるコンデンサ基板６と反対側の面に、搭載されている。それゆえ、駆動素子３とコンデンサ基板６との間の熱の干渉を抑制することができる。
その他、実施形態１と同様の作用効果を有する。
【００３６】
（実施形態４）
本実施形態は、図５に示すごとく、コンデンサ５が、長手方向をコンデンサ基板６の主面に沿わせるように配置された、電力変換装置１の形態である。
コンデンサ基板６に実装されたコンデンサ５の本体部分は、その長手方向がコンデンサ基板６の主面に沿うように配置されている。コンデンサ５の本体部分における長手方向の一端から、端子５１が突出している。そして、端子５１は、その突出側端部が、コンデンサ基板６へ向かって立設している。すなわち、端子５１は、途中で略直角に屈曲している。この端子５１によって、コンデンサ５がコンデンサ基板６に電気的に接続されている。
その他の構成は、実施形態１と同様である。
【００３７】
本実施形態においては、コンデンサ基板６とコンデンサ５とからなるモジュールの、コンデンサ基板６の法線方向の高さを抑制することができる。それゆえ、電力変換装置１の低背化を図りやすくなる。
その他、実施形態１と同様の作用効果を有する。
【００３８】
（実施形態５）
本実施形態は、図６に示すごとく、コンデンサ基板６を、法線方向において、制御基板４よりも上側に配置した、電力変換装置１の形態である。
そして、コンデンサ５が、長手方向をコンデンサ基板６の主面に沿わせるように配置されている。すなわち、本実施形態は、上述した実施形態３と実施形態４とを組み合わせた形態に相当する。
その他の構成は、実施形態３又は４と同様である。
【００３９】
本実施形態においては、電力変換装置１の低背化を図りつつ、電子部品１５間及び電子部品１５と基板との間の熱の干渉を抑制することができる。
その他、実施形態１と同様の作用効果を有する。
【００４０】
（実施形態６）
本実施形態は、図７に示すごとく、コンデンサ基板６に、コンデンサ５以外の電子部品１５を搭載した、電力変換装置１の形態である。
コンデンサ基板６に搭載する電子部品１５としては、例えば、界磁モジュール等とすることができる。
本実施形態においては、電子部品１５を、コンデンサ基板６における、コンデンサ５と反対側の面に実装してある。
その他の構成は、実施形態１と同様である。
【００４１】
本実施形態においては、コンデンサ５と電子部品１５との間の配線を短くすることができる。
また、コンデンサ基板６に、コンデンサ５以外の電子部品１５を搭載することで、基板の形状、大きさや、電子部品１５の配置等の設計自由度を、向上させることができる。
その他、実施形態１と同様の作用効果を有する。
【００４２】
なお、コンデンサ５以外の電子部品１５をコンデンサ基板６におけるコンデンサ５と同じ側の面に搭載してもよい。また、コンデンサ５以外の電子部品１５を複数個、コンデンサ基板６に搭載してもよい。
【００４３】
（実施形態７）
本実施形態は、図８に示すごとく、回転電機７と回転電機７を駆動制御する制御装置とが一体化された制御装置一体型回転電機１０の形態である。
制御装置は、上述した実施形態１の電力変換装置１である。
【００４４】
回転電機７は、シャフト７１と一体となって回転するロータ７２と、ロータ７２の外周に配されたステータ７３とを有する。そして、制御装置である電力変換装置１から、回転電機７へ交流電力を供給することで、ロータ７２がステータ７３に対して回転する。また、内燃機関等を動力源としてロータ７２が回転することにより回転電機７において発電された交流電力を、電力変換装置１において直流電力へ変換できるよう構成されている。
【００４５】
コンデンサ基板６の法線方向は、回転電機７に対する電力変換装置１の積層方向に一致している。コンデンサ５は、コンデンサ基板６における、回転電機７と反対側を向く面に搭載されている。
【００４６】
本実施形態において、制御装置（すなわち電力変換装置１）は、回転電機７に対して、シャフト７１の軸方向に積層されている。したがって、コンデンサ基板６の法線方向は、シャフト７１の軸方向に一致している。
その他の構成は、実施形態１と同様である。なお、以下において、シャフト７１の軸方向を、回転電機７の軸方向ともいう。
【００４７】
本形態の制御装置一体型回転電機１０は、実施形態１の電力変換装置１と回転電機７とを一体化させたである。それゆえ、制御基板４及びコンデンサ基板６とこれらに実装された電子部品１５の放熱性に優れた、制御装置一体型回転電機１０とすることができる。
【００４８】
また、コンデンサ５は、コンデンサ基板６における、回転電機７と反対側を向く面に搭載されている。それゆえ、回転電機７からのコンデンサ５の受熱を、抑制することができる。これにより、コンデンサ５の長寿命化を図ることができる。
その他、実施形態１と同様の作用効果を有する。
【００４９】
なお、実施形態７において、駆動素子３も、制御基板４の上側の面に搭載した構成としてもよい。すなわち、例えば、駆動素子３に対する回転電機７の熱の影響が特に懸念される場合には、制御基板４における、回転電機７と反対側の面に搭載することも考えられる。
【００５０】
（実施形態８）
本実施形態も、図９に示すごとく、回転電機７と回転電機７を駆動制御する制御装置とが一体化された制御装置一体型回転電機１０の形態である。
本形態の制御装置一体型回転電機１０は、冷却風流路１３を有する。冷却風流路１３は、導入した外気を制御装置（すなわち電力変換装置１）と回転電機７とにわたって流通させる流路である。冷却風流路１３の一部に対向するように、制御基板４が配置されている。駆動素子３は、制御基板４における冷却風流路１３側の面に搭載されている。
【００５１】
冷却風流路１３は、回転電機７と電力変換装置１との隙間１３１から、外気を導入できるよう構成されている。それゆえ、冷却風流路１３の一部は、電力変換装置１に面していることとなる。これにより、冷却風流路１３を通る外気（すなわち冷却風）が、電力変換装置１を冷却するよう構成されている。
【００５２】
また、冷却風流路１３に導入された外気は、ロータ７２の上側において、回転電機７側へ折り返されて、回転電機７のハウジング７０に設けられた開口部１３２から排出される。ロータ７２の上側には、ロータ７２と一体となって回転するファン７４が設けてある。このファン７４によって、冷却風流路１３に空気の流れを形成している。すなわち、ファン７４が、ロータ７２と共に回転することで、外気が隙間１３１から吸い込まれ、冷却風流路１３を通過し、開口部１３２から排出される。そして、外気が冷却風流路１３を通過することで、電力変換装置１及び回転電機７が冷却される。
【００５３】
制御基板４の法線方向も、回転電機７に対する電力変換装置１の積層方向に一致している。つまり、制御基板４もコンデンサ基板６も、法線方向が、回転電機７の軸方向に一致している。
その他の構成は、実施形態１と同様である。
【００５４】
本実施形態においては、冷却風流路１３の一部に対向するように制御基板４が配置されている。そして、駆動素子３が、制御基板４における冷却風流路１３側の面に搭載されている。これにより、冷却風流路１３を流通する冷却風によって、駆動素子３を効率的に冷却することができる。
その他、実施形態１と同様の作用効果を有する。
【００５５】
なお、本実施形態において、電力変換装置１の筐体１１に封止樹脂１２を充填した形態とすることもできるが、この場合、駆動素子３は冷却風流路１３に直接面することにはならない。すなわち、駆動素子３と冷却風流路１３との間に、封止樹脂１２が介在することとなる。しかし、かかる態様であっても、封止樹脂１２を介して、駆動素子３の熱を冷却風流路１３へ放熱することができる。それゆえ、このような態様であっても、一定の効果を得ることができる。すなわち、制御基板４が、冷却風流路１３の一部に対向するように配置されているとは、間に熱伝導性を有する部材が介在している場合も含む。
【００５６】
（実施形態９）
本実施形態は、図１０に示すごとく、コンデンサ５も、コンデンサ基板６の下面に搭載した、制御装置一体型回転電機１０の形態である。
すなわち、コンデンサ基板６に対するコンデンサ５の配置も、回転電機７側を向く配置としている。これにより、駆動素子３と共にコンデンサ５も、冷却風流路１３側を向く配置となる。
また、本実施形態においては、コンデンサ基板６は、制御基板４よりも上側に配置している。
その他の構成は、実施形態８と同様である。
【００５７】
本実施形態においては、駆動素子３と共にコンデンサ５も、冷却風流路１３側を向く配置となる。それゆえ、駆動素子３とコンデンサ５との双方を、冷却風流路１３を流通する冷却風によって、効率的に冷却することができる。
【００５８】
また、コンデンサ基板６が、制御基板４よりも上側に配置されている。これにより、駆動素子３等と比べて、比較的体格の大きくなりやすいコンデンサ５を、筐体１１内に納めやすくなる。その結果、電力変換装置１の低背化を図りやすくなる。ひいては、制御装置一体型回転電機１０の小型化を図りやすくなる。
その他、実施形態１と同様の作用効果を有する。
【００５９】
上記複数の実施形態を、適宜、互いに組み合わせた形態とすることもできる。例えば、実施形態２を、実施形態３〜実施形態９のいずれかと組み合わせることが考えられる。
【００６０】
本発明は上記各実施形態に限定されるものではなく、その要旨を逸脱しない範囲において種々の実施形態に適用することが可能である。
【符号の説明】
【００６１】
１  電力変換装置
１０  制御装置一体型回転電機
２  半導体モジュール
３  駆動素子
４  制御基板
５  コンデンサ
６  コンデンサ基板
７  回転電機
【図１】
2019057968.tif 000003
【図２】
2019057968.tif 000004
【図３】
2019057968.tif 000005
【図４】
2019057968.tif 000006
【図５】
2019057968.tif 000007
【図６】
2019057968.tif 000008
【図７】
2019057968.tif 000009
【図８】
2019057968.tif 000010
【図９】
2019057968.tif 000011
【図１０】
2019057968.tif 000012